(57)【要約】【課題】ロール網戸等の屋内装置の操作用線条体の端部連結具を、過って該線条体が強く引っ張られるようなことがあった場合、その外力で離脱されるようにする構成を、一対の同一形状の連結子からなる簡単な構成のものとする。【解決手段】ボールチェーン等の操作用の線条体８の端部に取り付けるための合成樹脂で成形された同一形状の一対の連結子１１により構成する。一対の連結子は、一端側に線条体を取り付ける保持部１２を備え、他端側の連結部１３においては、中心軸線Ｌの周りの一円周上に配設された複数の放射方向に弾性変形可能な第１の連結脚３１と、その外側の円周上に間隔を置いて配設された複数の第２の連結脚３２とを備える。両連結子を連結するとき、第２の連結脚３２は第１の連結脚の外側に近接する位置にあり、第１の連結脚に設けた突子３３を第２の連結脚の小孔３４に嵌入させる。【選択図】図１
2014134028.tif 000002
【特許請求の範囲】
【請求項１】
操作用の線条体の端部に取り付けるための合成樹脂で成形された同一形状の一対の連結子からなり、
上記一対の連結子は、それぞれ、その一端側に上記線条体の端部を取り付ける保持部を備えると共に、他端側に相互に連結できる連結部を備えることにより構成され、
上記連結部においては、連結子の中心軸線の周りに環状に配設されて該中心軸線の方向に突出する複数の放射方向に弾性変形可能な連結脚を備え、
上記両連結子における連結脚は、上記中心軸線の周りの一円周上に間隔を置いて配設された複数の第１の連結脚と、該円周の外側に位置する同心の一円周上に間隔を置いて、且つ上記第１の連結脚間に位置するように配設された複数の第２の連結脚とによって構成され、
上記両連結子は、それらの中心軸線を合わせて各連結子の隣接する第１の連結脚の間に他方の連結子の第１の連結脚をそれぞれ挿入し、両連結子の第１の連結脚を相互に噛み合わせて接合したときに、各第２の連結脚が他方の連結子の第１の連結脚の外側に近接する位置にあるように形成され、
上記第１の連結脚と第２の連結脚の一方における両連結脚が接する面に突子を、他方の連結脚における該突子に対応する位置に、両連結子における連結部の連結時に上記突子が嵌入する小孔を設けている、
ことを特徴とする屋内装置における操作用線条体の端部連結具。
【請求項２】
上記連結部に設ける連結脚を、連結子の中心軸線の周りの対向位置に配設された２本の第１の連結脚と、上記第１の連結脚の各中間において対向配置された２本の第２の連結脚とにより構成し、該第１の連結脚に突子を、上記第２の連結脚に上記小孔を設け、
上記一対の連結子の一方を、その中心軸線の回りで９０°回転させた位置においても両連結子を相互に連結可能にした、
ことを特徴とする請求項１に記載の屋内装置における操作用線条体の端部連結具。
【請求項３】
上記第２の連結脚の外面に、該第２の連結脚の長手方向に多数の凹凸を列設し、該凹凸における凹部に係合する凸部を備えた調整リングを、両連結子における第２の連結脚の周囲に、該第２の連結脚の長手方向に沿って位置調整可能に外嵌させた、
ことを特徴とする請求項１又は２に記載の屋内装置における操作用線条体の端部連結具。
【請求項４】
上記連結子の保持部における中心軸線の周りの外周に、全体的に一つの螺旋溝を形成する部分螺旋溝を設け、相互に連結した連結子の一方における保持部と第２の連結脚の周囲に沿って、少なくとも第２の連結脚の長手方向に沿う範囲で位置調整可能な調整リングを外嵌させ、該調整リングに一方の連結子における上記螺旋溝に位置調整可能に螺合する雌ねじを備えた、
ことを特徴とする請求項１又は２に記載の屋内装置における操作用線条体の端部連結具。
【請求項５】
上記第１及び第２の連結脚の一方または双方の連結脚の形状及び／または材質の変更により、その湾曲に対する強度を異ならしめ、複数種の異なる連結力で相互に連結可能な連結子を備えた、
ことを特徴とする請求項１又は２に記載の屋内装置における操作用線条体の端部連結具。
【請求項６】
上記線条体の端部を取り付ける保持部を、Ｕ字型に湾曲してその両端を連結部に連結した帯状部片により構成し、該帯状部片における平行部の一方に、上記線条体の端部に形成した膨大部を挿入する通孔を開設すると共に、上記帯状部片のＵ字型に湾曲した部分の先端に上記線条体の膨大部を係止させる線条体導出孔を設け、上記通孔と上記線条体導出孔との間に通溝を設けた、
ことを特徴とする請求項１〜５のいずれかに記載の屋内装置における操作用線条体の端部連結具。
【発明の詳細な説明】
【技術分野】
【０００１】
本発明は、ロール網戸、ブラインド、各種スクリーン、日除け、開閉窓などの屋内装置に設けられているところの、当該屋内装置の使用状態をそれらの利用者の要求或いは好みに沿う状態に設定するための無端のチェーンや操作紐、コード等と呼ばれる操作用線条体を、その切断端部において、所要の外力で離脱可能な連結力で相互に連結するようにした端部連結具に関するものである。
【背景技術】
【０００２】
従来から、極めて一般的に用いられているロール網戸、ブラインド、各種スクリーン、日除け、開閉窓などの屋内装置では、それらの開度や入射光量、通風量等を、それらの利用者の要求或いは好みに沿う状態に設定するためのチェーンや操作紐、コード等を備え、該チェーンや操作紐、コード等の操作用線条体の操作により上記開度や入射光量、通風量等を調整可能にしたものが多々見受けられる。これらの操作用線条体は、通常、屋内の居住域における操作し易い位置にループ状で吊下されているため、子供らが手、足、首等の身体の一部、或いは持ち物等を過ってそれに引っ掛け、身体の一部や持ち物を損傷し、また、逆にそのチェーンや操作紐等を切断したり、該チェーンや操作紐を備えた屋内装置自体を破損させる可能性がある。
【０００３】
特に、上述したチェーンや操作紐、コード等は、屋内装置の安定的な操作のために、それらの両端を強固に連結してループ状に形成するのが通例であり、そのために上述した問題が生じることから、子供らが手、足、首等の身体の一部、或いは持ち物等を過ってそれに引っ掛けることにより過大な力を作用させ、何らかの危険な状態になった場合には、上記チェーンや操作紐、コード等の両端の連結部における連結を解除することにより、その危険を避けるのが適切である。
【０００４】
このような問題に対処し、例えば、特許文献１〜３においては、上記チェーン等の操作用線条体に大きな力が作用したときに、それぞれに特有の構成により操作用線条体の連結部を切り離しできるようにした連結具について提案されている。
しかしながら、それらに開示のものは、いづれもに構造的に複雑なものであって、例えば、特許文献１のコネクタにおいては、コードの端部に係合可能とした一対の同形のコネクタピースを用いてはいるが、それらのコネクタピースを連結する連結部材を別途必要とし、結果的に、連結には３部片を必要とするものであり、また、特許文献２及び３に開示のものも、特許文献１のものと同等、ないしは、それよりも複雑な構成を備えるものである。
【先行技術文献】
【特許文献】
【０００５】
【特許文献１】特開２０１１−２３６５５２号公報
【特許文献２】特開２０１１−０２７１７４号公報
【特許文献３】特開２００８−００２１９３号公報
【発明の概要】
【発明が解決しようとする課題】
【０００６】
本発明の技術的課題は、上記屋内装置における無端の操作用線条体を、その切断端部において相互に連結するに当たり、過って該線条体が強く引っ張られるようなことがあっても、身体の一部の損傷や、該線条体の切断、或いは該線条体を備えた屋内装置自体の破損がない外力で離脱可能にした該操作用線条体の端部連結具を、基本的には、一対の同一形状の連結子からなる簡単な構成のものとして提供することにある。
本発明の他の技術的課題は、上記一対の同一形状の連結子に対し、調整リングを付加するとか、連結子の形状や材質を変更するだけで、調整可能な連結力で上記連結子を連結できるようにした操作用線条体の端部連結具を提供することにある。
【課題を解決するための手段】
【０００７】
上記課題を解決するため、本発明によれば、操作用の線条体の端部に取り付けるための合成樹脂で成形された同一形状の一対の連結子からなり、上記一対の連結子は、それぞれ、その一端側に上記線条体の端部を取り付ける保持部を備えると共に、他端側に相互に連結できる連結部を備えることにより構成され、上記連結部においては、連結子の中心軸線の周りに環状に配設されて該中心軸線の方向に突出する複数の放射方向に弾性変形可能な連結脚を備え、上記両連結子における連結脚は、上記中心軸線の周りの一円周上に間隔を置いて配設された複数の第１の連結脚と、該円周の外側に位置する同心の一円周上に間隔を置いて、且つ上記第１の連結脚間に位置するように配設された複数の第２の連結脚とによって構成され、上記両連結子は、それらの中心軸線を合わせて各連結子の隣接する第１の連結脚の間に他方の連結子の第１の連結脚をそれぞれ挿入し、両連結子の第１の連結脚を相互に噛み合わせて接合したときに、各第２の連結脚が他方の連結子の第１の連結脚の外側に近接する位置にあるように形成され、上記第１の連結脚と第２の連結脚の一方における両連結脚が接する面に突子を、他方の連結脚における該突子に対応する位置に、両連結子における連結部の連結時に上記突子が嵌入する小孔を設けていることを特徴とする屋内装置における操作用線条体の端部連結具が提供される。
【０００８】
本発明に係る操作用線条体の端部連結具の好ましい実施形態においては、上記連結部に設ける連結脚を、連結子の中心軸線の周りの対向位置に配設された２本の第１の連結脚と、上記第１の連結脚の各中間において対向配置された２本の第２の連結脚とにより構成し、該第１の連結脚に突子を、上記第２の連結脚に上記小孔を設け、上記一対の連結子の一方を、その中心軸線の回りで９０°回転させた位置においても両連結子を相互に連結可能にしたものとして構成される。
【０００９】
また、本発明に係る操作用線条体の端部連結具の他の好ましい実施形態においては、上記第２の連結脚の外面に、該第２の連結脚の長手方向に沿って凹凸を列設し、該凹凸における凹部に係合する凸部を備えた調整リングを、両連結子における第２の連結脚の周囲に、該第２の連結脚の長手方向に沿って位置調整可能に外嵌させたものとして構成し、或いは、上記連結子の保持部における中心軸線の周りの外周に、全体的に一つの螺旋溝を形成する部分螺旋溝を設け、相互に連結した連結子の一方における保持部と第２の連結脚の周囲に沿って、少なくとも第２の連結脚の長手方向に沿う範囲で位置調整可能な調整リングを外嵌させ、該調整リングに一方の連結子における上記螺旋溝に位置調整可能に螺合する雌ねじを備えたものとして構成される。更に、上記第１及び第２の連結脚の一方または双方の連結脚の形状及び／または材質の変更により、その湾曲に対する強度を異ならしめ、複数種の異なる連結力で相互に連結可能な連結子を備えたものとして構成することもできる。
【００１０】
本発明に係る上記端部連結具の好ましい実施形態においては、上記線条体の端部を取り付ける保持部を、Ｕ字型に湾曲してその両端を連結部に連結した帯状部片により構成し、該帯状部片における平行部の一方に、上記線条体の端部に形成した膨大部を挿入する通孔を開設すると共に、上記帯状部片のＵ字型に湾曲した部分の先端に上記線条体の膨大部を係止させる線条体導出孔を設け、上記通孔と上記線条体導出孔との間に通溝を設けたものとすることができる。
【発明の効果】
【００１１】
以上に詳述した本発明の操作用線条体の端部連結具によれば、上記屋内装置における無端の操作用線条体を、その切断端部において相互に連結する端部連結具を過って該線条体が強く引っ張られるようなことがあっても、身体の一部の損傷や、該線条体の切断、或いは該線条体を備えた屋内装置自体の破損がない外力で離脱可能なものとし、しかも、基本的には、一対の同一形状の連結子のみからなる簡単な構成のものとして提供することができる。また、上記一対の同一形状の連結子に対し、調整リングを付加するとか、連結子の形状や材質を変更するだけで、調整可能な連結力で上記一対の連結子を連結することができる。
【図面の簡単な説明】
【００１２】
【図１】本発明に係る操作用線条体の端部連結具の第１実施例における一対の連結子の分離状態を示す斜視図である。
【図２】同側断面図である。
【図３】上記端部連結具における一対の連結子の連結状態を示す斜視図である。
【図４】上記端部連結具の連結状態における調整リングの部分での横断面図である。
【図５】（ａ）〜（ｃ）は、上記実施例における調整リングの位置による一対の連結子の連結力の調整態様について説明するための、要部を半断面によって示す作用説明図である。
【図６】本発明に係る端部連結具の第２実施例を示し、（ａ）はその組み立て状態の一例を示す部分断面図、（ｂ）はその平面図である。
【図７】上記第２実施例における構成要素の分解部分断面図である。
【図８】本発明に係る第１実施例の端部連結具を用いて両端部を連結した操作用線条体を、ロール網戸のネット昇降操作を行う操作用線条体に適用した使用状態の説明図である。
【図９】連結子に図８の場合とは異なる構成の操作用線条体を取り付けた状態を例示する斜視図である。
【発明を実施するための形態】
【００１３】
従来から一般的に多用されているロール網戸（図８参照）、或いはブラインド、各種スクリーン、日除け、開閉窓などの屋内装置においては、入射光量や通風量等の設定のための操作機構を備え、該操作機構を無端のチェーンや操作紐等の操作用線条体８によって操作できるようにしているが、本発明に係る操作用線条体８の端部連結具１０は、このような操作用線条体８における切断端部の相互の連結に供し、該操作用線条体８をループ状にするためのものである。図８に示すロール網戸１は、巻取りボックス２に回転自在に支持させた巻取り軸３に防虫ネット４を巻き付けて、その導出端に左右のガイド枠６でガイドされるアンダーバー５を取り付け、上記操作用線条体８により巻取り軸３の端部に取り付けたプーリーを回転させて、上記防虫ネット４の昇降操作を行うものである。
【００１４】
図１〜図５は、本発明に係る操作用線条体の端部連結具１０の第１実施例を示し、図６及び図７は同第２実施例を示すものであり、また、図８は、ロール網戸１のネット昇降操作を行う操作用線条体８としてボールチェーンを用い、該操作用線条体８の端部の連結に本発明の第１実施例の端部連結具１０を適用した使用状態を示し、図９は操作用線条体８として操作紐を用い、それを上記第１実施例の端部連結具１０の連結子に取り付けた状態を示している。
【００１５】
上記操作用線条体８は、上記操作機構の動作のために引っ張るものであるため、その引っ張りに耐える強度を備える必要があり、該操作用線条体８の切断端部を相互に連結する端部連結具１０における連結強度についても同様であるが、本発明に係る操作用線条体８の端部連結具１０は、過って該線条体８が強く引っ張られることがあった場合、身体の一部の損傷や、該線条体自体の切断、或いは該線条体を備えた屋内装置自体の破損がなく、しかも、上記操作機構の動作に支障を来さないような範囲の引っ張り力で連結部分を離脱可能にしたものである。
【００１６】
図１〜図５を参照して、本発明に係る操作用線条体の端部連結具１０の第１実施例について説明すると、当該操作用線条体８の端部連結具１０は、操作用の線条体８の端部に取り付ける一対の連結子１１，１１からなるものであり、該一対の連結子１１，１１は、それぞれ、その一端側に上記線条体８の端部を取り付ける保持部１２を備えると共に、その他端側に相互に連結できる連結部１３を備えることにより構成している。
上記一対の連結子１１，１１は、合成樹脂で上記保持部１２及び連結部１３が一体成形された同一形状のものであり、しかも、その一対の同一形状の連結子１１，１１のみによって、所要の引っ張り力で離脱可能にしたものであるが、後述するように、該一対の連結子１１，１１間に位置調整可能に外嵌させる調整リング１４により、連結した一対の連結子１１，１１が離脱する引っ張り力を調整可能にすることができる。
【００１７】
上記連結部１３の構成について詳細に説明すると、該連結部１３においては、連結子１１の中心軸線Ｌの周りに環状に配設されて該中心軸線Ｌの方向に突出する複数の放射方向に弾性変形可能な第１の連結脚３１、及び同複数の放射方向に弾性変形可能な第２の連結脚３２を備えている。上記両連結子１１，１１における第１の連結脚３１は、図４から分かるように、上記中心軸線Ｌの周りの一円周上に間隔を置いて配設されたものであり、また、上記第２の連結脚３２は、各連結子１１，１１において、上記円周の外側に位置する同心の一円周上に間隔を置いて配設され、しかも、図１から分かるように、隣接する第１の連結脚３１，３１間に位置するように配設されたものである。
【００１８】
更に、上記両連結子１１，１１は、それらの中心軸線Ｌを合わせて各連結子１１，１１の隣接する第１の連結脚３１，３１の間に他方の連結子の第１の連結脚３１をそれぞれ挿入し、それによって両連結子の第１の連結脚３１が相互に噛み合うように接合したときに、各第２の連結脚３２が他方の連結子の第１の連結脚３１の外側に近接する位置にあるように形成し、そして、上記第１の連結脚３１における第２の連結脚３２が接する面に突子３３を、第２の連結脚３２における該突子３３に対応する位置に、該突子３３が嵌入する小孔３４を設けている。なお、上記第１の連結脚３１における第２の連結脚３２が接する面に上記小孔を、第２の連結脚３２における該小孔に対応する位置に、該小孔に嵌入する突子を設けることもできる。
【００１９】
また、図示の実施例では、上記連結部１３に設ける連結脚を、連結子１１の中心軸線Ｌの周りの一円周上の対向位置に配設された２本の第１の連結脚３１と、上記第１の連結脚３１の各中間において対向配置された２本の第２の連結脚３２とにより構成し、上記一対の連結子１１，１１の一方をその中心軸線Ｌの回りで９０°回転させた位置においても、両連結子１１，１１を相互に連結可能にしているが、かかる構成に限らず、例えば、上記連結部１３に設ける連結脚を、連結子１１の中心軸線Ｌの周りの等分位置に配設された３本の第１の連結脚３１と、上記第１の連結脚の各間に位置させた３本の第２の連結脚３２とにより構成することもできる。
【００２０】
上記構成を有する操作用線条体８の端部連結具１０は、一対の連結子１１，１１の中心軸線Ｌを合わせて各連結子１１，１１の隣接する第１の連結脚３１の間に他方の連結子１１の第１の連結脚３１をそれぞれ挿入し、各第１の連結脚３１に設けた突子３３を他方の連結子における第２の連結脚３２に設けた各小孔３４に嵌入させた状態にして両連結子１１，１１を接合すると、それらの突子３３と小孔３４の嵌入に伴う両連結子１１，１１相互の連結により、両連結子１１，１１が所要の外力で離脱可能な連結力で相互に連結される。
【００２１】
また、図示の実施例では、  上述したように一対の連結子１１，１１の一方をその中心軸線Ｌの回りで９０°回転させた位置においても、両連結子１１，１１は相互に連結可能であり、更に、連結部１３に設ける連結脚を、連結子１１の中心軸線Ｌの周りの等分位置に配設された複数本の第１の連結脚３１及び複数本の第２の連結脚３２とにより構成した場合にも、同様にその等分角度だけ回転させた位置において連結可能であり、この点では多数の連結脚があっても両連結子１１，１１の連結のための位置合わせを容易に行うことができる。
【００２２】
また、上記チェーンや操作紐、コード等のループ状の操作用線条体８に、子供らが過って手、足、首等の身体の一部、或いは持ち物等を引っ掛けた場合にも、身体の一部や持ち物を損傷し、逆にそのチェーンや操作紐等を切断したり、該チェーンや操作紐を備えた屋内装置自体の破損がなく、しかも、上記操作機構の動作に支障を来さないような範囲の引っ張り力で連結部分を離脱可能にするものであり、上記第１の連結脚３１及び第２の連結脚３２は、どのような位置合わせで連結したときも、上記のような引っ張り力で離脱するように形成される。
【００２３】
相互に連結した上記連結子１１，１１を離脱させるための引っ張り力は、操作用線条体８をどのような屋内装置において用いるかによって相違するものであるから、種々の引っ張り力に対応できる端部連結具であることが望まれる。このような離脱のための引っ張り力の調整は、上記第１及び第２の連結脚３１，３２の一方または双方の連結脚の形状または材質、或いはその両者の変更により、それらの湾曲に対する強度を異ならしめ、複数種の異なる連結力で相互に連結可能な連結子を形成することができる。
【００２４】
また、図１〜図５に示すように、上記連結子１１，１１の第２の連結脚３２の外面に、該第２の連結脚３２の長手方向に沿って、連結子１１の中心軸線Ｌに対して直交する方向に伸びる多数の凹凸３６を列設し、該凹凸３６における一つの凹部に係合する凸部１６を内面の一部に備えた調整リング１４を、相互に連結した両連結子１１，１１における第２の連結脚３２の周囲に、該第２の連結脚３２の長手方向に沿って位置調整可能に外嵌させておくこともでき、この場合には、図５の（ａ）〜（ｃ）を参照して以下に説明するように、調整リング１４の位置の調整によって一対の連結子１１，１１の連結力の調整を行うことができる。
【００２５】
図５によって上記連結力の調整の態様について説明すると、同図（ａ）は、第１の連結脚３１に設けた突子３３が、他方の連結子１１における第２の連結脚３２に設けた小孔３４に嵌入する位置に調整リング１４の凸部１６を移動させ、その位置で該凸部１６を第２の連結脚３２の凹凸３６における一つの凹部に係合させた状態を示し、この状態では、調整リング１４の存在により第２の連結脚３２が外側に湾曲しないように拘束されているので、両連結子１１，１１に矢印Ａで示す引っ張り力が作用した場合、第２の連結脚３２の小孔３４に嵌入した突子３３が該小孔３４から離脱するためには、同図（ｂ）に示すように、第１の連結脚３１が大きく内側に湾曲する必要があり、結果的に、大きな引っ張り力が作用しなければ上記突子３３が小孔３４から離脱せず、大きな引っ張り力で一対の連結子１１，１１の連結が解除される。
【００２６】
一方、図５の（ｃ）は、調整リング１４を第２の連結脚３２の基部まで移動させた状態を示し、この状態では、調整リング１４の存在が第２の連結脚３２の外側への湾曲を殆ど拘束しないので、両連結子１１，１１に矢印Ｂで示す引っ張り力が作用した場合、第１の連結脚３１及び第２の連結脚３２が比較的小さい力で湾曲する範囲で上記突子３３が上記小孔３４から離脱し、そのため、比較的小さな引っ張り力でも一対の連結子１１，１１の連結が解除される。
上記調整リング１４の位置を、図５の（ａ）に示す位置と同図（ｃ）に示す位置との間の中間位置に移動させた場合には、その位置に応じた中間の引っ張り力で一対の連結子１１，１１の連結が解除されるのは勿論である。
【００２７】
上記連結子１１，１１においては、第２の連結脚３２の外面に、該第２の連結脚３２の長手方向に沿って多数の凹凸３６を列設し、一方、調整リング１４の内面に該凹凸３６における一つの凹部に係合する凸部１６を備え、該調整リング１４を第２の連結脚３２の長手方向に移動させて凹凸３６における任意の凹部に係合させるようにしているが、上記連結子１１，１１における第２の連結脚３２の周囲に設けた凹凸３６を、全体的に一つの螺旋溝を形成する部分螺旋溝とし、上記調整リング１４の凸部１６をそれに螺合する部分螺旋条として、第２の連結脚３２の長手方向に位置調整可能に螺合しておくこともできる。
【００２８】
上記一対の連結子１１，１１は、前述したように、その一端側に上記線条体８の端部を取り付ける保持部１２を備えているが、この保持部１２は、Ｕ字型に湾曲してその両端を連結部１３に連結した帯状部片２１により構成し、該帯状部片２１における一対の平行部の一方に、上記線条体８の端部に形成した膨大部９（図８及び図９参照）を挿入する通孔２２を開設すると共に、上記帯状部片２１のＵ字型に湾曲した部分の先端に上記線条体８の膨大部９を係止させる線条体導出孔２３を設け、上記通孔２２と上記線条体導出孔２３との間に通溝２４を設けることにより構成している。上記線条体８の膨大部９として、図８の例では、ボールチェーンからなる操作用線条体８のボールを利用し、図９の例では、操作紐からなる操作用線条体８の端部に係止した結び目を利用しているが、操作用線条体８を形成する部材に応じてその端部に付した膨大化部分を利用することができる。
【００２９】
次に、図６及び図７を参照して、本発明の第２実施例に係る線条体８の端部連結具１０について説明する。同図に示す第２実施例の一対の連結子１１，１１は、上記線条体８の端部に取り付けるための保持部１２における中心軸線Ｌの周りの外周に、全体的に一つの螺旋溝を形成する部分螺旋溝３７を設けている。なお、上記連結子１１の保持部１２の一側には、上記線条体８の端部に形成した膨大部９を挿入する通孔２２を開設すると共に、該保持部１２の先端に上記線条体８の膨大部９を係止させる線条体導出孔２３を設け、上記通孔２２と上記線条体導出孔２３との間に通溝２４を設けているが、この点では第１実施例と変わるところがない。
また、上記連結子１１には、第１実施例の場合と同様な複数の第１の連結脚３１及び第２の連結脚３２を備えている。但し、第１実施例のように、第２の連結脚３２の外面に多数の凹凸３６を列設することはなく、また、調整リング１４の内面に該凹凸３６における凹部に係合する凸部１６も備えていない。
【００３０】
そして、第１実施例の調整リング１４に対応する調整リング１５は、相互に連結した連結子１１，１１の一方における保持部１２と第２の連結脚３２の周囲に沿って、少なくとも第２の連結脚３２の長手方向に沿う範囲に外嵌し得る筒状に形成し、その下端部１５ａの位置を第２の連結脚３２の長手方向の任意の位置に調整可能にして、該調整リング１５の上部に、一方の連結子１１における上記螺旋溝に螺合する雌ねじ１７を備えている。
なお、図６及び図７において、第１実施例と共通する部分には第１実施例と同じ符号を付し、それらについての説明は省略する。
上記構成を備えた第２実施例の端部連結具１０によれば、相互に連結した連結子１１，１１の一方における第２の連結脚３２の周囲に位置調整可能に外嵌させた調整リング１５の下端部１５ａを、先に図５を参照して説明した第１実施例の場合と同様に位置調整し、それによって、一対の連結子１１，１１の連結が解除される線条体８の引っ張り力を調整することができる。
【符号の説明】
【００３１】
８      操作用線条体
１０      端部連結具
１１      連結子
１２      保持部
１３      連結部
１４，１５    調整リング
１６      凸部
３１      第１の連結脚
３２      第２の連結脚
３３      突子
３４      小孔
３６      凹凸
３７      部分螺旋溝
Ｌ      中心軸線
【図１】
2014134028.tif 000003
【図２】
2014134028.tif 000004
【図３】
2014134028.tif 000005
【図４】
2014134028.tif 000006
【図５】
2014134028.tif 000007
【図６】
2014134028.tif 000008
【図７】
2014134028.tif 000009
【図８】
2014134028.tif 000010
【図９】
2014134028.tif 000011